(57)【特許請求の範囲】
【請求項１】
画面上に複数のスイッチ図形を描画し、各スイッチ図形に対する操作と連動して所定の制御動作を可能とする操作用画面の作成方法であって、
写真撮影された画像をビットマップ図形（４７）に変換して作画面（４４）上に表示する表示工程と、
該表示されたビットマップ図形（４７）上に複数のスイッチ区画（４９）を設定する設定工程と、
該設定された各スイッチ区画（４９）に対して個別にスイッチ機能を割り当てる割当工程と、
前記複数のスイッチ機能が設定されたビットマップ図形（４７）を１つの複合機能部品として記憶する記憶工程とを備え、
前記スイッチ機能の割当工程において前記各スイッチ区画（４９）に割り当てられるスイッチ機能は、オン操作と連動して所定のデータ処理動作をさせるものであり、
前記写真撮影された画像は、予め所定の記号が表示された複数のキーを備えた電気機器における操作面であって、前記ビットマップ図形への変換時にＯＣＲ機能を利用して前記記号が識別され、前記スイッチ機能におけるオン操作時に入力されるコードデータとして自動的に記憶されることを特徴とする操作用画面作成方法。
【請求項２】
前記スイッチ区画（４９）の設定工程では、
その数および間隔が変更可能な複数本の区画線（４８）が前記ビットマップ図形（４７）上に格子状に表示され、前記区画線（４８）を各キーの表示位置に対応させて設定変更可能とすることにより、各キーの区画設定動作が行われる請求項１記載の操作用画面作成方法。
【請求項３】
画面上に複数のスイッチ図形を描画し、各スイッチ図形に対する操作と連動して所定の制御動作を可能とする操作用画面をコンピュータに作成させるためのプログラムにおいて、
写真撮影された画像をビットマップ図形（４７）に変換して作画面（４４）上に表示する表示工程と、
該表示されたビットマップ図形（４７）上に複数のスイッチ区画（４９）を設定する設定工程と、
該設定された各スイッチ区画（４９）に対して個別にスイッチ機能を割り当てる割当工程と、
前記複数のスイッチ機能が設定されたビットマップ図形（４７）を１つの複合機能部品として記憶する記憶工程と、をコンピュータに実行させるためのプログラムであって、
前記スイッチ機能の割当工程において前記各スイッチ区画（４９）に割り当てられるスイッチ機能が、オン操作と連動して所定のデータ処理動作をさせるものであり、
前記写真撮影された画像が、予め所定の記号が表示された複数のキーを備えた電気機器における操作面であって、前記ビットマップ図形への変換時にＯＣＲ機能を利用して前記記号が識別され、前記スイッチ機能におけるオン操作時に入力されるコードデータとして自動的に記憶されることを特徴とするプログラム。
【請求項４】
画面上に複数のスイッチ図形を描画し、各スイッチ図形に対する操作と連動して所定の制御動作を可能とする操作用画面をコンピュータに作成させるためのプログラムを記録したコンピュータ読み取り可能な記録媒体において、
写真撮影された画像をビットマップ図形（４７）に変換して作画面（４４）上に表示する表示工程と、
該表示されたビットマップ図形（４７）上に複数のスイッチ区画（４９）を設定する設定工程と、
該設定された各スイッチ区画（４９）に対して個別にスイッチ機能を割り当てる設定工程と、
前記複数のスイッチ機能が設定されたビットマップ図形（４７）を１つの複合機能部品として記憶する記憶工程と、をコンピュータに実行させるためのプログラムを記録したコンピュータ読み取り可能な記録媒体であって、
前記スイッチ機能の割当工程において前記各スイッチ区画（４９）に割り当てられるスイッチ機能は、オン操作と連動して所定のデータ処理動作をさせるものであり、
前記写真撮影された画像は、予め所定の記号が表示された複数のキーを備えた電気機器における操作面であって、前記ビットマップ図形への変換時にＯＣＲ機能を利用して前記記号が識別され、前記スイッチ機能におけるオン操作時に入力されるコードデータとして自動的に記憶されることを特徴とする記録媒体。
【発明の詳細な説明】
【０００１】
【発明の属する技術分野】
この発明は、工業用あるいは家庭用など各種制御手段における操作用として使用する表示画面の作成方法および装置に関する。
【０００２】
【従来の技術】
この種の画面作成用として本出願人は以前、予めデータ登録しておいた部品図形データを利用し、部品図形の選択および配置を表示画面上で行うことにより、操作用の表示画面が容易に作成できる画像データの作成装置を提案した（例えば、特開平７−２２５７８９号公報参照）。また、部品図形データとして、カメラで撮影した画像をそのまま利用することも可能である。
【０００３】
【発明が解決しようとする課題】
ところで、この種の操作用画面は、従来の機械式によるスイッチ群からなる操作盤をディスプレイ上の表示画面に置き換えることが多いため、より簡易に多数のスイッチ群が構成されることが求められている。
【０００４】
本発明はかかる要望に鑑みてなされたものであって、スイッチ群を備えた操作面を写真撮影した撮影イメージをそのまま利用することにより、画面作成の容易さを損なうことなく、表現力に富んだ表示画面が作成できる方法および装置を提供することを目的とする。
【０００５】
【課題を解決するための手段】
本発明を適用する操作用画面は、図３の如く、画面２５上に複数のスイッチ図形２６を描画し、各スイッチ図形２６に対する操作と連動して所定の制御動作を可能とするものである。
【０００６】
そして、図１の様に現実に存在する物品を例えばデジタルカメラの様なイメージデータ入力部３３を介しイメージデータとして取り込み、写真撮影された画像を図６（ａ）の如く作画面４４上にビットマップ図形４７として表示する工程と、図７（ａ）の様にその表示されたビットマップ図形４７上に複数のスイッチ区画４９を設定する工程と、設定された各スイッチ区画４９に対して個別にスイッチ機能を割り当てる工程と、複数のスイッチ機能が設定されたビットマップ図形４７を１つの複合機能部品として記憶する工程とを備えている。
【０００７】
前記した写真撮影される物品は、略同一形状の複数のキーを等間隔に備えたキーボードの様な電気機器における操作面であって、スイッチ区画４９の設定工程では、その数および間隔が変更可能な複数本の区画線４８が図６（ｂ）の様にビットマップ図形４７上に格子状に表示され、その区画線４８を各キー５３の表示位置に対応させて設定変更することにより、各キー５３の区画設定動作が行われる。
【０００８】
また、区画設定されたスイッチ区画４９毎に割り当てられるスイッチ機能は、キー面のオン操作と連動して所定のデータ処理動作をさせるものであり、表示画像に対する表示属性５１の修飾データを予め設定しておき、スイッチのオン操作時には、図７（ｂ）の様に表示属性５１で該当のスイッチ区画４９の修飾表示を行う。
【０００９】
キー上に予めアルファベットの様な所定の記号５０を表示しておき、ビットマップ図形４７への変換時にＯＣＲ機能を利用して表示記号５０を識別し、スイッチ機能におけるオン操作時に入力されるコードデータとして自動的に記憶される様に構成することができる。
【００１０】
また複合機能部品は、実行すべき単位動作の内容を特定する複数の情報から図４の様な１つの処理指示語Ｗを構成するとともに、図３の様な制御すべき一連の動作内容に対応した数の処理指示語Ｗを設定する一方、設定された処理指示語Ｗを順次解読し、各処理指示語Ｗで参照されるデータｒに基づいた制御動作を行う表示制御装置において使用されることが好ましい。
【００１１】
また、上記した方法を適用した操作用画面の作成装置にあっては、写真撮影された画像を入力可能とするデータ入力手段と、そのデータ入力手段から取り込んだ画像を作画面４４上にビットマップ図形４７として表示する手段と、その表示手段により表示されたビットマップ図形４７上に、複数のスイッチ区画４９を設定する手段と、その設定手段により設定された各スイッチ区画４９に対し、個別にスイッチ機能を割り当て可能とする手段と、その割当手段により複数のスイッチ機能が設定されたビットマップ図形４７を１つの複合機能部品として記憶する手段とを備えている。
【００１２】
【発明の実施の形態】
以下本発明を、図２に示す如く、操作用画面の作成装置２９およびそこで作成された操作用画面１０を利用する表示制御装置の構成に基づいて具体的に説明する。なお、表示制御装置に接続する外部装置として工業用のＰＬＣ１１を使用した例に基づいて具体的な説明を行うが、外部装置として汎用あるいは専用のコンピュータあるいはその他の制御装置を使用したもの、あるいは家庭内における各種電気製品の動作を制御する装置にあっても、略同様に実施できることは勿論である。更に表示制御装置の構成も一例であって、ＰＬＣや操作用画面の作成装置と一体となったものなど、その構成が限定されるものではない。
【００１３】
表示制御装置１０は、図２に例示する如く、ＰＬＣ１１とともにターゲットシステム１２の操作卓などに一体に組み込み、あるいはそれ自身が独立して配備され、ターゲットシステム１２に対する操作および表示盤として使用されるものであって、後述する処理指示語Ｗを用いて各種の設定あるいは制御動作を行なわせる。
【００１４】
ターゲットシステム１２を制御するＰＬＣ１１は、ＣＰＵユニットやメモリユニットなどの必要とする個別の機能毎に回路がユニット化され、各ユニットを必要に応じてバスラインを介して適宜追加可能に並列接続することにより、ＰＬＣ全体として達成される機能を増減可能とする、従来と略同様な構成のものである。
【００１５】
表示制御装置１０は、本体ケースの正面中央位置にＣＲＴ、ＥＬ、プラズマあるいは液晶などの各種表示手段から選択されるディスプレイ１３を配置する一方、本体ケースの内部には表示制御回路１４を収納する。
【００１６】
更に、ディスプレイ１３における表示画面の前面を透明なタッチパネル１５により密着状態で覆っている。タッチパネル１５は、電気的に複数に分割されて入力区画が形成されるとともに、この各入力区画に対する押圧操作による指示は、タッチパネルコントローラ１６を介して取り込まれてその入力区画の座標が解析され、テスト時、システム全体としての運転開始前における初期設定時あるいは運転中における指先による各種の手動によるスイッチ操作を可能とする。なお、タッチパネル１５に代えてあるいは加えて、マウスやトラックボールの様な各種の指示入力手段を用いてスイッチ操作できることは勿論である。
【００１７】
表示制御回路１４の基本的な構成は、一般的なパソコンと略同一であって、バスラインを介してＣＰＵ１７、ＲＯＭ１８、ＲＡＭ１９をはじめとする各種メモリ、あるいはグラフィックコントローラ２０が接続され、ＲＯＭ１８内に格納されたシステムプログラムに従ってＣＰＵ１７が所定の演算動作を行う一方、ＲＡＭ１９に適宜格納される各種の演算結果は、後で詳述するグラフィックデータを用いてグラフィックコントローラ２０によりビデオＲＡＭ２１上へビットイメージとして展開され、ビデオＲＡＭ２１内への書き込み内容に対応した表示をディスプレイ１３上で行う。
【００１８】
また、ＰＬＣ１１の回路構成に特化したアルゴリズムあるいは汎用の通信プログラムで作動する通信コントローラ２２を介し、ＰＬＣ１１側の計算機リンクユニットとシリアルあるいはパラレルの通信路２３を通じて、ＰＬＣ１１内のメモリユニットとＲＡＭ１９上に設定された状態データ用メモリ２４との間で互いにデータの受け渡しを可能とすることにより、ＰＬＣ１１と表示制御装置１０とが最小限の時間遅れをもって、略同一内容の状態データを互いに保持する様にしている。
【００１９】
ここで表示制御装置１０においては、図３（ａ）に例示する銘板の様な、表示内容に変更を要しないベース画面２５、あるいはそのベース画面２５上で形状変化や点滅あるいは色変化させるスイッチ図形などの部品図形２６を、必要とする表示単位毎に１つのファイル番号Ｆを指定し格納しておく。
【００２０】
一方、事象データ用メモリ２７上に予め格納しておいた図４（ａ）で例示する処理指示語Ｗを微小時間毎に間欠的に読み出し、各処理指示語Ｗの事象名Ｎで特定される内容の動作をＰＬＣ１１側から取り出されたデータを参照しながら順次に実行することにより、ＰＬＣ１１側のビットデバイスあるいはワードデバイスの内容変化に即応して部品図形２６の形状が変化する表示動作が行われる。
【００２１】
すなわち処理指示語Ｗの基本的な構成は、表示制御動作を実行すべきベース画面２５のファイル番号Ｆと、該ベース画面２５上で実行すべき動作内容を特定する事象名Ｎと、各実行事象毎に参照される１又は複数のデータからなる参照情報ｒとを１組として備えている。
【００２２】
例えば、図４（ｂ）に示す処理指示語ＷＴは、タッチパネル１５に対する押圧操作と連動して、状態データ用メモリ２４内の所定ビット位置のデータを反転可能とするものである。すなわち、ベース画面２５のファイル番号Ｆ１、タッチパネル１５の操作を特定する例えば「Ｔ」から始まる事象名Ｎ、タッチパネル１５からの入力操作を有効とする入力座標範囲Ｘ１・Ｘ２、タッチパネル１５の押し操作と連動してデータを書き換えるべきビット位置Ａ１とから構成される。
【００２３】
更に図４（ｃ）に示す処理指示語ＷＬは、上記したタッチパネル１５の操作と連動して、対応位置に所定の図形を表示可能とするものである。すなわち、ＲＡＭ１９上に展開した状態データ用メモリ２４内の所定ビット位置の変化に対応して、ベース画面２５上の所定位置に所定の部品図形２６を表示可能とするものであって、ベース画面２５のファイル番号Ｆ１、部品図形２６の表示を特定する例えば「Ｌ」から始まる事象名Ｎ、部品図形２６の表示座標範囲Ｘ１・Ｘ２、呼び出す部品図形２６を特定するファイル番号Ｆ２、部品図形２６を表示時に参照する状態データ用メモリ２４内のビット位置Ａ１とから構成される。
【００２４】
そこで図３（ａ）の様に、座標範囲と参照ビット位置とを一致させた２つの処理指示語ＷＬ１・ＷＴ１を事象データ用メモリ２７に設定しておく。また、状態データ用メモリ２４のビット位置Ａ１のデータが「０」の場合、それをスイッチのオフ状態に予め対応させておくと、ＰＬＣ１１ではスイッチ接点のオフ動作を行う。それと同時に、スイッチのオフ状態に対応する部品図形２６のデータＦ２をグラフィック用メモリ２８から読み出し、表示画面上の座標範囲Ｘ１・Ｘ２に展開して表示する。
【００２５】
ここでタッチパネル１５におけるスイッチ形状の部品図形２６を表示した箇所を押すと、タッチパネル用の処理指示語ＷＴを検索し、タッチパネル１５を介してなされた指示座標から該当の座標を含む範囲を参照情報ｒとして有する処理指示語ＷＴの有無を判定する。
【００２６】
例えば、座標範囲Ｘ１・Ｘ２の内の一点が押された場合、上記の様にして構成された処理指示語ＷＴ１に対応するので、図３（ｂ）に示す如く、該当のビット位置Ａ１におけるデータ値を「０」から「１」に反転し、ＰＬＣ１１により該当のスイッチ接点をオンさせる。それと同時に、処理指示語ＷＬ１は参照ビットが「１」に変化したことを判断し、スイッチのオン状態に対応する部品図形２６のデータＦ２’をグラフィック用メモリ２８から読み出して該当の座標範囲Ｘ１・Ｘ２上に表示することにより、表示画面上に表示されたスイッチ形状の部品図形２６も、オフ状態からオン状態へと変更されるのである。
【００２７】
本実施例における操作用画面の作成装置２９は、図１に例示するごとく、キーボード３０とディスプレイ３１とが一体となるとともに、マウス３２を表示画面上における指示入力手段として使用した汎用的なパソコンが使用され、更に後述する図形データの作成手段として、デジタルカメラあるいはイメージスキャナ等のイメージデータ入力部３３を備えるとともに、所定のプログラムを用いて図５に例示する各種の機能を実現する様にしている。
【００２８】
すなわち、ディスプレイ３１の表示画面上において必要な表示動作を処理する表示部３４と、操作用の画面を作成するための基本となる選択データの格納部３５と、その格納部３５のデータを用いた表示画面上おける部品図形２６の配置部３６と、各種データの手動によるデータ入力部３７と、処理指示語の合成部３８と、ベース画面の作成部３９と、その作成された操作用画面データの記憶部４０と、記憶された操作用画面データを表示制御装置１０側にダウンロードするデータ通信部４１を基本的に備える。
【００２９】
本発明にあっては更に、上記した選択データ格納部３５に基本データとして保存するための部品図形データを作成するための部品図形を独自に作成可能とする部品図形作成部４２と、その部品図形作成部４２で使用するデータ入力を行うためのイメージデータ入力部３３とを備えたことを特徴とする。
【００３０】
表示部３４は、図１に示す如く、例えばディスプレイ３１の表示画面における左側約４分の１を使用して、各種の選択動作を行う為の指示入力画面４３を備える一方、表示画面の右側約４分の３を使用して、表示制御装置１０の操作用画面を縮小して示した作画面４４を設けている。更にその作画面４４の上方には、マウス３２の指示座標やデータ記憶部４０におけるメモリの使用状況の様な動作情報を表示する欄４５を設け、作画面４４の下方には、編集中のベース画面２５の名前や使用するＰＬＣ１１の種類の様な既定情報を表示する欄４６を設けている。
【００３１】
ベース画面の作成部３９は、従来の作図装置と略同様に、直線や曲線を主体とする線画あるいはその内部を所定の色や模様で塗りつぶすことにより、任意の静止図形のみからなるベース画面２５を、表示部３４における作画面４４上で作成できる様にしている。
【００３２】
選択データ格納部３５に設定される選択データは、予め決定した仕様に基づいてシステム側が固定データとして提供するもの、あるいは操作者が予め仕様に従って形成しておいたものであって、上記したベース画面２５上での使用を可能とする部品機能の選択データ群である。ここで選択データ群は、各部品機能毎に使用される処理指示語データ群と、各部品の形状を示す部品図形データ群とを含んでいる。
【００３３】
本実施例にあっては、作画面４４上で使用し得る具体的な部品図形データ群として、スイッチ、ランプおよび表示器とが予め基本部品として用意されている例を示すが、使用可能な部品図形２６の種類およびその機能については任意に増減できるものである。
【００３４】
ここでスイッチの発揮し得る具体的な機能としては、スイッチの所定操作と連動してＰＬＣ１１内の指定ビットをオンまたはオフさせるたり、あるいはスイッチ操作に対応して所定コードがメモリ上の所定番地に入力されるものの様に、通常のスイッチを用いて実現できる複数の機能を予め設定しておき、操作者が適宜選択できる様にしている。
【００３５】
ランプの機能は、指定ビットのオンまたはオフ、あるいは指定アドレスの数値の変化に対応して、表示色や表示文字の様な表示内容が、例えばランプ形状に形成した部品図形２６の表示状態として複数段階に変化するものである。
【００３６】
表示器の機能としては、ＰＬＣ１１側の所定アドレスにおける内容変化に対応して、ベース画面２５上の任意位置に数値表示、文字表示あるいは数値の変化をモノグラムによる部品図形２６の変化として表示するものが設定されている。
【００３７】
一方、各機能毎に設定される処理指示語データ群は、部品図形２６の機能毎に使用することを必要とする処理指示語Ｗが定型的に特定できることを利用し、具体的な数値を未定あるいは既定値とした１または複数の処理指示語を、各部品図形２６の機能毎に設定したものである。
【００３８】
例えば、タッチパネル１５の押圧操作と連動して所定ビットをオンさせるスイッチ部品に対応する処理指示語データ群としては、図３および図４に示す如く、スイッチ形状を所定ビットのオンオフ変化に対応させて表示変化させる処理指示語ＷＬ、タッチパネル１５のオン時を検出して所定ビットをオンさせる処理指示語ＷＴとから構成され、スイッチにおける該当の機能を選択すると、かかる処理指示語群ＷＬ・ＷＴにおける未定入力項目が、データ入力部３７におけるテンプレートとして自動的に選択使用され、表示部３４における指示入力画面４３を介して、操作者に対して具体的な数値あるいは文字などのデータ入力を促す。
【００３９】
部品図形データ群は、各部品図形２６毎に、ベース画面２５上における具体的な表示をさせるためのものであって、１つの部品図形２６についてオンおよびオフ状態あるいはスイッチの各変更位置を表わす図形を１組とし、部品図形配置部３６においてその内の１つが具体的に選択されて作画面４４上に取り出される。例えばスイッチの部品図形２６にあっては、オンオフ式、スナップ式あるいはスライド式など、一般に使用されている具体的なスイッチの形状が設定される。
【００４０】
部品図形作成部４２は、ベース画面作成部３９と略同様な作図機能に加えて、イメージデータ入力部３３から取り込んだ撮影図形を加工することにより、任意の部品図形２６を形成可能とするとともに、選択データ格納部３５に保存してシステムが提供する選択データと略同様な取り扱いができる様にしている。
【００４１】
イメージデータ入力部３３がデジタル式のカメラの場合は直接的に、イメージスキャナの場合は各種のカメラを使用して撮影した現像写真を介して間接的に、部品図形２６として使用を希望する現実の部品の外観形状をイメージデータ化して部品図形作成部４２に取り込む。
【００４２】
本発明にあっては、かかる部品図形２６として、フルキーボードや電話機の様に、その操作面上に複数のキー５３を備えた電気機器を対象として取り込むことを可能としている。すなわち、電気機器の操作面を図１の様に真正面から撮像することにより、図７（ｂ）の様な複数のスイッチ機能を同時に備えた複合機能の部品図形２６ａを作成可能とするのである。
【００４３】
部品図形作成部４２では、その第１の工程として、前記したイメージデータ入力部３３から取り込まれた撮影データを、図６（ａ）の様に作画面４４上にビットイメージとして表示する。ところでこのビットイメージ化されたビットマップ図形４７には、必要な部品図形の周囲に背景などの余分な画像を含むことが一般的である。そこでビットイメージが作画面４４上に表示されるのと同時に、ビットマップ図形４７の形状はベクトル処理され、矩形状あるいは自由曲線による範囲指定用の枠体がビットマップ図形４７の周囲に表示されて、部品図形として取り込むべき範囲の指定が要求される。
【００４４】
なお、上記した部品図形のみを選択的に切り出す方法としては、部品を予め特定色の背景上に配置して撮影し、その特定色以外の部分をビットマップ図形４７として取り出すことができる。また、背景の一部または全部を残して利用することも可能である。
【００４５】
この様にして必要なビットマップ図形４７が特定されると、次にそのビットマップ図形４７上におけるスイッチ部分の区切り処理工程に入る。かかる区切り動作は、キーボード等に備えるキーとして略同一形状のものが等間隔に配置されることを利用するものであって、図６（ｂ）に例示する如く、縦横の区画線４８が複数本並行に、作画面４４上におけるビットマップ図形４７に重畳して表示される。
【００４６】
かかる区画線４８は、ビットマップ図形４７の移動あるいは拡大に対応して、その表示位置あるいは表示本数が変更されるものであって、更に全ての区画線４８をまとめて位置移動することも可能である。また、その中の１本の区画線４８を基準として隣接する区画線４８を移動すると、残りの区画線４８が全て等間隔となる様に位置設定が変更される。また、各区画線４８毎に削除可能とすることにより、ビットマップ図形４７上におけるキーの配設位置を、縦および横方向の区画線４８で格子状に包囲して特定可能とする。
【００４７】
なお、等間隔にないキーや大きさが異なるキーについては、上記した定型的な操作によるスイッチ部分の区画に加え、あるいは代えて、矩形や円形の区切り線を呼び出して使用するなどの変更は可能である。また、区画線４８による区画に代えて、イメージ図形の輪郭をベクトル処理し、同一形状の並びからキートップの範囲を自動的に判定させることもできる。
【００４８】
上記の如く、図７（ａ）の様なビットマップ図形４７上に複数のスイッチ区画４９が設定されると、次に各スイッチ区画４９に対するスイッチ機能の割り当て工程に入る。ところで、キーボードや電話機の操作面に配置されるスイッチは、各スイッチ毎の基本的な機能が同一で、キー操作によって入力されるコードのみが異なることが多い。
【００４９】
そこで本実施例にあっては、各キートップに文字や数字からなる記号５０が記載されている場合には、全スイッチ区画４９に備える機能として、コードの入力用として備えた同一のものを使用する一方、キー上の文字や数字等の記号５０をＯＣＲ機能を利用して識別し、個別のデータとして取り込む。
【００５０】
更に次の工程で、スイッチの押し操作時における図形変化の内容を決定する。ここで表示変更用の図形を別に用意することも可能であるが、本実施例にあっては、スイッチ区画４９の部分を図７（ｂ）において斜線で示す様に、網掛け、所定の色変化あるいは点滅の様な表示属性５１による修飾を行うことにより、押し状態を区別して表示させる様にしている。
【００５１】
また、その部品の種類あるいは動作状態の様な部品機能の選択データの入力画面が指示入力画面４３上に表示され、指示に従って選択データを確定すると、同時に作成された部品図形２６ａとセットにして選択データ格納部３５に保存される。
【００５２】
一方部品図形配置部３６は、選択データ格納部３５から取り出された部品図形２６ａを図７（ｂ）の様に作画面４４上における任意位置に配設するとともに、その大きさを作画面４４上で確認しながら任意に設定可能とするものであって、かかる部品図形２６ａの配置を確定することにより、その確定図形を部品図形データとしてデータ記憶部４０に一時記憶するとともに、特定される図形の配設範囲に関するデータは、処理指示語合成部３８に送られる。
【００５３】
更に作画面４４上には、表示制御装置１０側におけるタッチパネル１５の入力区画の各交点に対応してグリッド５２が表示されるとともに、各部品図形２６あるいは複合機能部品のスイッチ区画４９の配設位置および配設範囲は、そのグリッド５２に対応して段階的に変化する様に構成されている。なお、タッチパネル１５における入力区画の区切りが小さい場合には、配置位置の自由度が増すことは勿論である。
【００５４】
処理指示語合成部３８は、選択データ格納部３５から送られる選択データに対して、データ入力部３７により手動入力された設定データと、部品図形配置部３６から送られる座標データとを合成して、各部品図形２６が作画面４４上で確定される毎に具体的な数値が特定された処理指示語データを作成するものである。
【００５５】
上記の様に形成された部品図形データおよび処理指示語データは、データ記憶部４０内に順次に格納される。この各部品の確定状態は未確定の状態に戻して再編集することが可能で、部品図形配置部３６とデータ入力部３７にデータ記憶部４０内の部品図形データおよび処理指示語データは適宜時期に取り出され、表示部３４上で設定内容を変更したのち、データ記憶部４０における記憶内容の更新処理が行われる。また、作画面４４上における特定部品図形２６のコピーを行い、任意位置に配置することにより、部品番号と配設座標範囲のみが互いに異なる部品図形データと処理指示語データとが同時に作成される。
【００５６】
上記の様にしてベース画面２５上に部品図形２６を用いて作成した操作用の画面データは、データ記憶部４０に格納されたあと、所定の通信路２３を介して直接的に、あるいはＩＣカードの様な記録媒体を介して間接的に表示制御装置１０側へ送られ、表示制御動作に使用されるのである。
【００５７】
なお、イメージデータ入力部３３から取り込む複合機能を有する部品図形２６ａは、操作者がカメラを使用して直接的に撮影する他に、フォトＣＤやビデオテープに予めライブラリとして提供された実写画像から必要な複合機能の部品図形２６ａを切り出して使用することも可能である。
【００５８】
また、上記の様に電気機器における操作面のデザインを利用する他に、現在使用している機械式のスイッチを複数備えた操作盤の形状を全体として取り込んで利用すれば、機械式の制御盤から、ディスプレイを利用した電子式制御盤への移行が違和感なく行える。更に、家や人間等をビットマップ図形４７として取り込み、その上に区画線４８を利用して複数のスイッチ区画４９を設定することにより、複合機能の部品図形２６ａを構成することも可能である。
【００５９】
【発明の効果】
本発明は上記の如く、実際に存在する操作面をそのまま撮影してイメージ化し、更に作画面４４上において複合機能部品化することにより、多数のスイッチを一体に備えた操作面であっても、画面作成時の容易さを損なうことなく、表現力および機能に富んだ操作用画面が作成できる。
【図面の簡単な説明】
【図１】本発明にかかる操作用画面作成装置の具体的な構成を示す斜視図である。
【図２】表示制御装置の一例を示すブロック図である。
【図３】表示制御装置の動作手順を示す説明図である。
【図４】本発明で特に使用する処理指示語の構成を示す説明図であって、（ａ）は処理指示語の基本的な構成、（ｂ）はタッチパネルを用いたデータ入力用の処理指示語の構成、（ｃ）は図形表示用の処理指示語の構成を各々示す。
【図５】操作用画面の作成装置が達成する機能を示す説明図である。
【図６】複合機能の部品図形を作成する手順を示す説明図であって、（ａ）はビットマップ図形の表示状態を、（ｂ）は区切り線の表示状態を各々示す。
【図７】複合機能の部品図形を使用手順を示す説明図であって、（ａ）は複合機能の部品図形の完成状態を、（ｂ）はベース画面上への配置するとともに、押し操作をした状態を各々示す。
【符号の説明】
１０  表示制御装置
１１  ＰＬＣ
１２  ターゲットシステム
１３  表示制御装置のディスプレイ
１４  表示制御回路
１５  タッチパネル
１６  タッチパネルコントローラ
１７  ＣＰＵ
１８  ＲＯＭ
１９  ＲＡＭ
２０  グラフィックコントローラ
２１  ビデオＲＡＭ
２２  通信コントローラ
２３  通信路
２４  状態データ用メモリ
２５  ベース画面
２６  部品図形
２７  事象データ用メモリ
２８  グラフィック用メモリ
２９  操作用画面作成装置
３０  キーボード
３１  操作用画面作成装置のディスプレイ
３２  マウス
３３  イメージデータ入力部
３４  表示部
３５  選択データ格納部
３６  部品図形配置部
３７  手動データ入力部
３８  処理指示語合成部
３９  ベース画面作成部
４０  データ記憶部
４１  データ通信部
４２  部品図形作成部
４３  指示入力画面
４４  作画面
４５  動作情報表欄
４６  既定情報表欄
４７  ビットマップ図形
４８  区画線
４９  スイッチ区画
５０  表示記号
５１  表示属性
５２  グリッド
５３  キー
【図１】
0003845326.tif 000002
【図２】
0003845326.tif 000003
【図３】
0003845326.tif 000004
【図４】
0003845326.tif 000005
【図５】
0003845326.tif 000006
【図６】
0003845326.tif 000007
【図７】
0003845326.tif 000008